(57)【要約】  【課題】  ロータリの側面カバーの開閉操作をハンドル部分で行うことを可能にした。  【解決手段】  側面カバー６の外側の支軸近傍に斜め上方に突出する回動アーム１７，１８を設け、上面カバー５の側面カバー６側端部に開用ブラケット７および閉用ブラケット８を設ける。一方、ハンドル部１３に操作レバー１４を設け、この操作レバー１４から前記開用ブラケット７および閉用ブラケット８を介して、前記回動アーム１７，１８の先端にワイヤを接続する。それにより、操作レバー１４を回動操作することにより、ワイヤを介して回動アーム１７，１８が開用ブラケット７および閉用ブラケット８側に交互に引き寄せられて側面カバー６が開閉操作される。【選択図】  図４
2005224137.tif 000002
【特許請求の範囲】
【請求項１】
ロータリの上方に略水平方向に設置された上面カバーと、該上面カバーの左右端部に軸支されてロータリの側面を覆うとともに外上方への開閉を可能に支持された１対の側面カバーを備えたロータリ耕耘装置において、
前記側面カバーが閉じられた位置で側面カバーの外側の支軸近傍から斜め上方に突設された開用回動アームと、
前記側面カバーが閉じられた位置で側面カバーの外側の支軸近傍から斜め上方に突設された閉用回動アームと、
前記上面カバーの上面に設置されて先端が前記側面カバー閉状態での前記開用回動アームの先端と略水平方向に対向する位置に突設された開用ブラケットと、
前記上面カバーの上面に設置されて先端が前記側面カバー開状態での前記閉用回動アームの先端と外側斜め上方向に対向する位置に突設された閉用ブラケットと、
ハンドル部に回動自在に軸支された操作レバーと、
該操作レバーの支軸部分にレバーと一体的に固定されたドラムと、
一端が前記開用ブラケット先端に取り付けられ他端が前記ドラム近傍のハンドル部に取り付けられた開用アウタケーブルと、
一端が前記閉用ブラケット先端に取り付けられ他端が前記ドラム近傍のハンドル部に取り付けられた閉用アウタケーブルと、
中間部が前記開用アウタケーブルに収納されて一端が前記開用回動アームの先端に接続され他端が前記ドラムに一方向に巻き付けて接続された開用インナケーブルと、
中間部が前記閉用アウタケーブルに収納されて一端が前記閉用回動アームの先端に接続され他端が前記ドラムに他方向に巻き付けて接続された閉用インナケーブルと、
を備えたことを特徴とするロータリ耕耘装置。
【請求項２】
請求項１に記載のロータリ耕耘装置において、
前記開用回動アームと前記閉用回動アームと前記開用ブラケットと前記閉用ブラケットと前記操作レバーと前記ドラムと前記開用アウタケーブルと前記閉用アウタケーブルと前記開用インナケーブルと前記開用インナケーブルとを前記左右の側面カバーごとにそれぞれ備えたことを特徴とするロータリ耕耘装置。
【請求項３】
請求項１に記載のロータリ耕耘装置において、
前記開用回動アームと前記閉用回動アームと前記開用ブラケットと前記閉用ブラケットと前記開用アウタケーブルと前記閉用アウタケーブルと前記開用インナケーブルと前記開用インナケーブルとを前記左右の側面カバーごとにそれぞれ備えるとともに前記操作レバーと前記ドラムとをそれぞれ１個備えて前記ドラムにそれぞれ１対の前記開用インナケーブルと前記開用インナケーブルとを巻き付けて接続したことを特徴とするロータリ耕耘装置。
【発明の詳細な説明】
【技術分野】
【０００１】
本発明は管理機、耕耘機、トラクタ等に取り付けられて使用されるロータリ耕耘装置に関し、詳しくはロータリの上面を覆うカバーと、この上面カバーの左右側部に外側上方への回動を自在に軸支された１対の側面カバーを備えたロータリ耕耘装置において、側面カバーの開閉操作をハンドルの手元で行うことを可能にしたものである。
【背景技術】
【０００２】
従来、管理機用等のロータリ耕耘装置を用いて作物への覆土作業をする場合の覆土量の調節は、側面カバーの開度とスロットルレバーの操作により行われていた。スロットルレバーの操作により覆土量を変更した場合は、同時に車速や牽引力が変動してしまう不都合があるため、実際の作業では、主として側面カバーの開度を調節することで、作物への覆土量を調節していた。従来のロータリカバーを備えたロータリ耕耘装置としては、特許文献１に記載のものがある。
【特許文献１】特開平１１−３１８１０１号公報
【発明の開示】
【発明が解決しようとする課題】
【０００３】
このように従来の管理機用等のロータリ耕耘装置では、ロータリの側面カバーを開閉して覆土量の調節をしようとする場合は、管理機を運転していた作業者が運転を中断して、カバーを調節し覆土量をきめる。また、管理機の前部にロータリ耕耘装置がある場合には、管理機の前部側面にまわり、側面カバーを開閉操作していた。しかし、この開閉操作を作業途中の、作物が生育している畝の中でしようとすると、管理機の両側が作物に覆われているため、作業者は、管理機を停止させた後、隣の畝に移り前方に移動し、畝の作物越しに、側面カバーを開閉操作しなければならず、大変作業性が悪かった。また、作物の丈が高い場合は、作物越しに操作ができないという問題があった。そこで、本発明は、ロータリの側面カバーの開閉操作をハンドル部分で行うことを可能にしたロータリ耕耘装置を提案することを目的とした。
【課題を解決するための手段】
【０００４】
上記課題を解決するために、本発明は、ロータリの上方に略水平方向に設置された上面カバーと、該上面カバーの左右端部に軸支されてロータリの側面を覆うとともに外上方への開閉を可能に支持された１対の側面カバーを備えたロータリ耕耘装置において、前記側面カバーが閉じられた位置で側面カバーの外側の支軸近傍から斜め上方に突設された開用回動アームと、前記側面カバーが閉じられた位置で側面カバーの外側の支軸近傍から斜め上方に突設された閉用回動アームと、前記上面カバーの上面に設置されて先端が前記側面カバー閉状態での前記開用回動アームの先端と略水平方向に対向する位置に突設された開用ブラケットと、前記上面カバーの上面に設置されて先端が前記側面カバー開状態での前記閉用回動アームの先端と外側斜め上方向に対向する位置に突設された閉用ブラケットと、ハンドル部に回動自在に軸支された操作レバーと、該操作レバーの支軸部分にレバーと一体的に固定されたドラムと、一端が前記開用ブラケット先端に取り付けられ他端が前記ドラム近傍のハンドル部に取り付けられた開用アウタケーブルと、一端が前記閉用ブラケット先端に取り付けられ他端が前記ドラム近傍のハンドル部に取り付けられた閉用アウタケーブルと、中間部が前記開用アウタケーブルに収納されて一端が前記開用回動アームの先端に接続され他端が前記ドラムに一方向に巻き付けて接続された開用インナケーブルと、中間部が前記閉用アウタケーブルに収納されて一端が前記閉用回動アームの先端に接続され他端が前記ドラムに他方向に巻き付けて接続された閉用インナケーブルとを備えたことを特徴とする。
【０００５】
ここで、前記開用回動アームと前記閉用回動アームと前記開用ブラケットと前記閉用ブラケットと前記操作レバーと前記ドラムと前記開用アウタケーブルと前記閉用アウタケーブルと前記開用インナケーブルと前記開用インナケーブルとを前記左右の側面カバーごとにそれぞれ備えることも可能である。また、前記開用回動アームと前記閉用回動アームと前記開用ブラケットと前記閉用ブラケットと前記開用アウタケーブルと前記閉用アウタケーブルと前記開用インナケーブルと前記開用インナケーブルとを前記左右の側面カバーごとにそれぞれ備えるとともに前記操作レバーと前記ドラムとをそれぞれ１個備えて前記ドラムにそれぞれ１対の前記開用インナケーブルと前記開用インナケーブルとを巻き付けて接続することも可能である。
【発明の効果】
【０００６】
以上述べたように本発明によれば、ハンドル部に設けた操作レバーの操作により側面カバーの開閉を可能にしたことで、作業者は、管理機を停止させて前方に回り込むことなくハンドル部の手元で側面カバーの開閉操作をして覆土量を調節することが可能となり、作業性が向上する。
【発明を実施するための最良の形態】
【０００７】
以下、図に基づいて本発明の実施形態を説明する。
図１は本発明に係るロータリ耕耘装置を耕耘機に取り付けた場合の全体を示す側面図であり、図２は図１のハンドル部の一部を拡大して示した図である。図１において、１はロータリ耕耘装置であり、前輪２と後輪３の間にロータリ４が配置されている。ロータリ４は、上面カバー５および側面カバー６により覆われている。上面カバー５には、開用ブラケット７と閉用ブラケット８が取り付けられており、それぞれ開用アウタケーブル１１と閉用アウタケーブル１２の一端が接続されている。開用アウタケーブル１１と閉用アウタケーブル１２の他端は、図２に示されるように、ハンドル部１３に設けられた操作レバー１４の支軸部に固定されているドラム１５の側面に設置された金具１６に接続されている。
【０００８】
図３は側面カバー６が閉じられた状態の平面図であり、図４は図３を前方から見た正面図である。また、図５は側面カバー６が開かれた状態の平面図であり、図６は図５を前方から見た正面図である。これらの図に示されるように、ロータリ４の上面を覆う上面カバー５は、中央部分を覆う中央上面カバー５ａとその左右にヒンジ結合されて保持されている左上面カバー５ｂと右上面カバー５ｃとからなる。ここで、左上面カバー５ｂの部分について着目すると、左上面カバー５ｂの左端には、側面カバー６がヒンジ結合されて、垂直位置から水平位置までの開閉を自在に支持されている。
【０００９】
図４に示されるように、側面カバー６の外側の上部には、先端を斜め上方に突設して開用回動アーム１７と閉用回動アーム１８が並んで取り付けられている。また、図３および図４に示されるように、左上面カバー５ｂの上面の略中央部分には、Ｌ字型の開用ブラケット２１が取り付けられている。同様に、左上面カバー５ｂの上面の左部分には、断面クランク型の閉用ブラケット２２が取り付けられている。閉用ブラケット２２の先端は、左側斜め上方に突出されている。開用ブラケット２１には、開用アウタケーブル１１の端部のねじ部２３が貫通して固定されている。同様に、閉用ブラケット２２には、閉用アウタケーブル１２の端部のねじ部２４が貫通して固定されている。
【００１０】
開用アウタケーブル１１の中空部には開用インナケーブル２５が挿通されて、その端部が開用回動アーム１７の先端に接続されている。同様に、閉用アウタケーブル１２の中空部には閉用インナケーブル２６が挿通されて、その端部が閉用回動アーム１８の先端に接続されている。これら開用インナケーブル２５と閉用インナケーブル２６の他端は、図２に示す操作レバー１４の支軸部に操作レバー１４に一体的に固定されているドラム１５に巻き付けられて接続されている。
【００１１】
このように構成されたことで、図２の操作レバー１４を右方向に回動すると、開操作となり、開用インナケーブル２５がドラム１５に巻き付けられて引き寄せられ、反対に閉用インナケーブル２６がドラム１５から放たれて戻される。そのときの側面カバー６は、図５および図６に示されるように、開用インナケーブル２５が開用回動アーム１７を右方へ引き寄せて側面カバー６を左上方へ開放する。同時に、閉用インナケーブル２６が伸びて閉用回動アーム１８の回動を可能にする。このように側面カバー６が開放されたことで、ロータリ４による覆土量が増大する。
【００１２】
また、反対に、図２の操作レバー１４を左方向に回動すると、閉用インナケーブル２６がドラム１５に巻き付けられて引き寄せられ、反対に開用インナケーブル２５がドラム１５から放たれて戻される。そのときの側面カバー６は、図３および図４に示されるように、閉用インナケーブル２６が閉用回動アーム１８を左方へ引き寄せて側面カバー６を下方へ閉じる。同時に、開用インナケーブル２５が伸びて開用回動アーム１７の回動を可能にする。このように側面カバー６が閉じられたことで、ロータリ４による覆土量が減少する。
【００１３】
なお、操作レバー１４は開位置と閉位置に操作する以外に、中間位置に停止してロータリ４による覆土量を連続的に調節することもできる。図７がその中間に側面カバー６を調節した状態を示す。また、上述の図示例では、左側の側面カバー６を開閉する機構について説明したが、図示しない右側の側面カバーについても、同様にハンドル部１３で開閉操作することにより右側の側面カバーを開閉する機構を設けることが可能である。また、そのように構成して、操作レバーを左右それぞれの側面カバーごとに設けることも可能であるが、左右の側面カバーを共通して１本の操作レバーで同時に開閉操作させることも可能である。また、上述の図示例では、開用回動アーム１７と閉用回動アーム１８が並んで取り付けられているが、これらを１本の回動アームにして開用インナケーブル２５と閉用インナケーブル２６の両方を接続することも可能である。
又、本発明機は、進行方向に対し前側に用いる場合を想定して説明したが、同時に後ろ側に対しても使用することができ、更に、トラクター等の乗用型のものと歩行型用の両方に適用が可能である。
【産業上の利用可能性】
【００１４】
本発明は、管理機、耕耘機、トラクタ等に取り付けられて使用されるロータリ耕耘装置に関するもので、ロータリの側面カバーを開閉操作する場合以外に、ロータリの上面を覆うカバーの開閉にも利用可能である。
【図面の簡単な説明】
【００１５】
【図１】本発明に係るロータリ耕耘装置の全体を示す側面図である。
【図２】図１のハンドル部の一部を示した拡大図である。
【図３】側面カバーが閉じられた状態の平面図である。
【図４】図３を前方から見た正面図である。
【図５】側面カバーが開かれた状態の平面図である。
【図６】図５を前方から見た正面図である。
【図７】側面カバーの開閉範囲を示す正面図である。
【符号の説明】
【００１６】
１  ロータリ耕耘装置
２  前輪
３  後輪
４  ロータリ
５  上面カバー
５ａ    中央上面カバー
５ｂ  左上面カバー
５ｃ  右上面カバー
６  側面カバー
７  開用ブラケット
８  閉用ブラケット
１１  開用アウタケーブル
１２  閉用アウタケーブル
１３  ハンドル部
１４  操作レバー
１５  ドラム
１６  金具
１７  開用回動アーム
１８  閉用回動アーム
２１  開用ブラケット
２２  閉用ブラケット
２３，２４  ねじ部
２５  開用インナケーブル
２６  閉用インナケーブル
【図１】
2005224137.tif 000003
【図２】
2005224137.tif 000004
【図３】
2005224137.tif 000005
【図４】
2005224137.tif 000006
【図５】
2005224137.tif 000007
【図６】
2005224137.tif 000008
【図７】
2005224137.tif 000009